(57)【要約】      （修正有）【課題】作業が簡単でコストの低減を図る機器収納用ラックを提供する。【解決手段】機器収納用ラックにおいて、マウントアングル２は、前面側に機器取り付け穴２ｂを設けた機器取り付け部２ａを折曲形成すると共に、機器３の後部を支持するために背面側にタップ２ｄを設けた支持レール部２ｃを形成し、機器３を機器収納用ラックの前面側よりマウントアングル２に取り付けるとき同時にマウントアングル２の裏面に、少なくとも機器取り付け補助部４ａと後方固定部４ｃと機器支持部４ｅとで構成される機器取り付け補助金具４を取り付ける。【選択図】図２
2006190772.tif 000002
【特許請求の範囲】
【請求項１】
ラック内部に収納される機器を固定するためのマウントアングルを装備した機器収納用ラックにおいて、前記マウントアングルは、前面側に機器取り付け穴を設けた機器取り付け部を折曲形成すると共に、前記機器の後部を支持するために背面側にタップを設けた支持レール部を形成し、前記機器を前記機器収納用ラックの前面側より前記マウントアングルに取り付けるとき同時に前記マウントアングルの裏面に、少なくとも機器取り付け補助部と後方固定部と機器支持部とで構成される機器取り付け補助金具を取り付けることを特徴とする機器収納用ラック。
【発明の詳細な説明】
【技術分野】
【０００１】
本発明は、ラック内部に収納される機器を固定するためのマウントアングルを装備した機器収納用ラックに関するものである。
【背景技術】
【０００２】
従来はマウントアングル３１の取り付け穴３２にケージナット３３を取り付け、前面側から機器３４を入れ、機器３４のねじ穴３５とマウントアングル３１の取り付け穴３２とケージナット３３とにそれぞれねじ３６を挿通し、締め付け、機器３４をマウントアングル３１に取り付けていた。ケージナット３３は、端部につめ３７が形成されており、片方のつめ３７を取り付け穴３２に引っ掛け、もう一方のつめ３７をドライバー３８等の工具を使ってつめ３７をたわませながら取り付け穴３２に嵌合させていた。機器３４の重量が大きい場合には、機器３４の後方が垂れ下がってしまうことがあり、マウントアングル３１にも大きな負荷がかかっていた。
【０００３】
そこで、重量機器を取り付ける場合には、前後のマウントアングル４１に鋼板を断面略Ｌ字状に折曲して形成されたレール４２を渡し、レール４２で機器の後方を補助的に支持させるようにした。
【特許文献１】実開平６−２３２９４号公報
【発明の開示】
【発明が解決しようとする課題】
【０００４】
マウントアングルに機器を取り付けるために設けられるケージナットは、取り付けるのに工具が必要で作業に手間がかかっていた。
【０００５】
機器の垂れ下がり防止のためには別部品であるレールを組み付けているが、部品の製作と取り付け作業に手間がかかっていた。また、補助的に機器を支持するだけで、強度面でも限界があった。
【課題を解決するための手段】
【０００６】
本発明は、作業が簡単でコストの低減を図る機器収納用ラックを提供すること目的とし、その構造は、マウントアングルは、前面側に機器取り付け穴を設けた機器取り付け部を折曲形成すると共に、機器の後部を支持するために背面側にタップを設けた支持レール部を形成し、機器を機器収納用ラックの前面側よりマウントアングルに取り付けるとき同時にマウントアングルの裏面に、少なくとも機器取り付け補助部と後方固定部と機器支持部とで構成される機器取り付け補助金具を取り付けることを特徴とする。
【発明の効果】
【０００７】
本発明に係る機器収納用箱体にいて、マウントアングルは、前面側に機器取り付け穴を設けた機器取り付け部を折曲形成すると共に、機器の後部を支持するために背面側にタップを設けた支持レール部を形成し、機器を機器収納用ラックの前面側よりマウントアングルに取り付けるとき同時にマウントアングルの裏面に、少なくとも機器取り付け補助部と後方固定部と機器支持部とで構成される機器取り付け補助金具を取り付けるため、従来のようにケージナットを取り付けるという面倒な作業を省くことができ、作業性を向上させることができる。また機器取り付け補助金具は構造も簡単であるため、製作コストも抑えることができると共に、マウントアングルへの補強も兼ねるので、強度も向上させることができる。
【発明を実施するための最良の形態】
【０００８】
支持部の強度向上及び機器の垂れ下がり防止という目的を、簡単な構造で施工をしやすくして実現した。
【実施例１】
【０００９】
本発明に係る機器収納用ラックを図１〜図２の添付図面に基づいて説明する。
【００１０】
通信用機器等を収納するための機器収納用ラック１は、マウントアングル２を設けマウントアングル２に機器３をねじ止めにより固定する。マウントアングル２は前面側に機器取り付け部２ａを折曲形成し、機器取り付け部２ａには機器取り付け穴２ｂを設けている。また、マウントアングル２の後方は支持レール部２ｃを形成し、支持レール部２ｃにはタップ２ｄを設ける。
【００１１】
本発明において、マウントアングル２に機器３を取り付けるときには機器取り付け補助金具４を用い、その構造は、マントアングル２の機器取り付け部２ａに対向させた機器取り付け補助部４ａと、支持レール部２ｃに対向させた後方固定部４ｃと、機器支持部４ｅとを形成する。機器取り付け補助部４ａには補助ねじ穴４ｂを、後方固定部４ｃにはマウントアングル２に設けられたタップ２ｄに対向する位置に固定穴４ｄを設ける。
【００１２】
機器３はラック１の前面側より差し入れ、後方から機器取り付け補助金具４を当て、機器３に設けられた取り付け部３ａのねじ穴３ｂから、機器取り付け補助金具４に設けられた補助ねじ穴４ｂとにねじ５を挿通し締め付け、さらに機器３の後方でも、固定穴４ｄとマウントアングル２に設けられたタップ２ｄとにそれぞれねじ６を挿通し、の機器取り付け補助金具４の機器３をマウントアングル２に固定すると共に、機器３は、機器取り付け補助金具４の機器支持部４ｅに支持させる。
【００１３】
機器３を前面側でマウントアングル２に取り付け、特に、重量機器の場合には、マウントアングル２に大きな負荷がかかるので、重量機器を機器取り付け補助金具４に支持させて、一ヶ所にかかる負荷を軽減する。また、機器取り付け補助金具４は機器３をマウントアングル２に取り付けるときに同時にねじ止めするので、作業も簡単である。
【産業上の利用可能性】
【００１４】
マウントアングルに機器を固定すると同時に、マウントアングルの裏面から機器取り付け補助金具を取りつけることによって、マウントアングルを補強しながら機器を支持するため、重量機器を取り付ける場合に適用できる。
【図面の簡単な説明】
【００１５】
【図１】本発明に係る機器収納用ラックを示す説明図である。（実施例１）
【図２】図１における要部分解斜視図である。（実施例１）
【図３】従来の機器のマウントアングルへの取り付け方法を示す説明図である。
【図４】従来の機器のマウントアングルへの取り付け方法を示す説明図である。
【符号の説明】
【００１６】
１    機器収納用ラック
２    マウントアングル
２ａ  機器取り付け部
２ｂ  機器取り付け穴
２ｃ  支持レール部
２ｄ  タップ
３    機器
３ａ  取り付け部
３ｂ  ねじ穴
４    機器取り付け補助金具
４ａ  機器取り付け補助部
４ｂ  補助ねじ穴
４ｃ  後方固定部
４ｄ  固定穴
４ｅ  機器支持部
５    ねじ
６    ねじ
【図１】
2006190772.tif 000003
【図２】
2006190772.tif 000004
【図３】
2006190772.tif 000005
【図４】
2006190772.tif 000006